(57)【特許請求の範囲】
【請求項１】
表示手段と、長尺状の印刷媒体に印刷するための印刷データを作成・編集する印刷データ作成・編集手段とを備えたラベルデータ作成装置において、
前記印刷データ作成・編集手段は、
前記表示手段の表示画面に前記印刷媒体のレイアウトを該印刷媒体に印刷するラベ
ルデータの縦書き又は横書きに対応させて縦方向又は横方向に表示するレイアウト表示手段と、
前記レイアウトの搬送方向先端縁部の搬送方向外側に前記印刷媒体のサイズを該先
端縁部に対して平行に表示するサイズ表示手段と、
を有し、
前記印刷データ作成・編集手段は、
前記印刷媒体が無定長ロールシートの場合には、該印刷媒体の印刷領域を自由長又
は固定長に設定する印刷領域設定手段と、
前記ラベルデータを入力する入力手段と、
を有し、
前記レイアウト表示手段は、
前記印刷媒体が無定長ロールシートの場合には、ラベルデータ入力前において前記
印刷媒体の所定長さのレイアウトを表示すると共に、該レイアウトの搬送方向後側に自由長の最大長さに対応する自由長シルエットを表示するシルエット表示手段と、
前記印刷領域が自由長に設定されている場合には、その旨を表す自由長設定表記を
表示する自由長設定表示手段と、
を有し、
前記レイアウトの長さと前記自由長シルエットの長さとを加算した長さは一定長さに設定されており、
前記入力手段を介して前記レイアウトに文字が入力された際に、その入力文字数に対応して前記レイアウトの長さが拡大されるとともに、前記自由長シルエットの長さが縮小され、
前記入力手段による文字入力時、前記レイアウトにより表わされる印字媒体の印刷領域の長さと前記自由長シルエットにより表わされる印刷領域の自由長の最大長さとを同時に表示すること特徴とするラベルデータ作成装置。
【請求項２】
前記自由長設定表示手段は、前記自由長設定表記を前記レイアウトの搬送方向後端縁部の近傍に表示することを特徴とする請求項１に記載のラベルデータ作成装置。
【請求項３】
前記シルエット表示手段は、前記印刷領域が自由長に設定されている場合と該印刷領域が固定長に設定される場合とで前記自由長シルエットの表示態様を異ならせることを特徴とする請求項１又は請求項２に記載のラベルデータ作成装置。
【請求項４】
前記シルエット表示手段は、前記印刷領域が自由長に設定された場合には、前記所定長さを、搬送方向に複数文字のラベルデータを入力可能な長さに設定し、ラベルデータが入力された場合には、前記レイアウトの長さを、入力されたラベルデータの印刷長さに変更表示することを特徴とする請求項１乃至請求項３のいずれかに記載のラベルデータ作成装置。
【請求項５】
前記シルエット表示手段は、前記印刷領域が固定長に設定された場合には、前記所定長さを固定長に設定し、
前記自由長設定表示手段は、前記印刷領域が固定長に設定された場合には、前記自由長設定表記を表示しないことを特徴とする請求項１乃至請求項４のいずれかに記載のラベルデータ作成装置。
【請求項６】
前記サイズ表示手段は、前記印刷媒体が無定長ロールシートの場合には、該無定長ロールシートの幅寸法を前記サイズとして表示することを特徴とする請求項１乃至請求項５のいずれかに記載のラベルデータ作成装置。
【請求項７】
前記サイズ表示手段は、前記印刷媒体がダイカットの場合には、該ダイカットの幅寸法及び長さ寸法を前記サイズとして表示することを特徴とする請求項１乃至請求項６のいずれかに記載のラベルデータ作成装置。
【請求項８】
請求項１乃至請求項７のいずれかに記載のラベルデータ作成装置の印刷データ作成・編集手段としてコンピュータを機能させることを特徴とするプログラム。
【請求項９】
請求項１乃至請求項７のいずれかに記載のラベルデータ作成装置の印刷データ作成・編集手段としてコンピュータを機能させるためのプログラムが記録されてコンピュータで読み取り可能なことを特徴とする記録媒体。
【発明の詳細な説明】
【技術分野】
【０００１】
本発明は、長尺状の印刷媒体に印刷するための印刷データを作成・編集するラベルデータ作成装置、プログラム及び記録媒体に関するものである。
【背景技術】
【０００２】
従来より、長尺状のテープやロールシート等の印刷媒体に印刷するための印刷データを作成・編集するラベルデータ作成装置に関し種々提案されている。
例えば、表示装置の表示画面を上下方向に分割して上側にテープ表示領域が表示され、下側にデータファイル表示領域を表示する。そして、上側のテープ表示領域に、印刷テープの印刷領域にラベルデータの割付けを表すテンプレートを配置した枠情報を示す仮想テープを表示するように構成されたラベルデータ作成装置がある（例えば、特許文献１参照。）。
【特許文献１】特開２００６−９９２５４号公報（段落（００２２）〜（００６０）、図１〜図１４）
【発明の開示】
【発明が解決しようとする課題】
【０００３】
しかしながら、上述した特許文献１に記載される構成では、仮想テープはテープ表示領域の一方の側端縁部まで延びた状態で表示されており、この仮想テープのサイズを知るためには、テープ表示領域の他方の側端縁部に表示されたルーラの目盛りを読む必要がある。このため、一見しただけでは、仮想テープのサイズを知ることが難しく、また、自由長と固定長のいずれに設定されているのか分からないという問題がある。
【０００４】
そこで、本発明は、上述した問題点を解決するためになされたものであり、印刷媒体のサイズを瞬時に知ることができると共に、印刷媒体の印刷領域が自由長又は固定長のいずれに設定されているかを瞬時に知ることができるラベルデータ作成装置、プログラム及び記録媒体を提供することを目的とする。
【課題を解決するための手段】
【０００５】
前記目的を達成するため請求項１に係るラベルデータ作成装置は、表示手段と、長尺状の印刷媒体に印刷するための印刷データを作成・編集する印刷データ作成・編集手段とを備えたラベルデータ作成装置において、前記印刷データ作成・編集手段は、前記表示手段の表示画面に前記印刷媒体のレイアウトを該印刷媒体に印刷するラベルデータの縦書き又は横書きに対応させて縦方向又は横方向に表示するレイアウト表示手段と、前記レイアウトの搬送方向先端縁部の搬送方向外側に前記印刷媒体のサイズを該先端縁部に対して平行に表示するサイズ表示手段と、を有し、前記印刷データ作成・編集手段は、前記印刷媒体が無定長ロールシートの場合には、該印刷媒体の印刷領域を自由長又は固定長に設定する印刷領域設定手段と、前記ラベルデータを入力する入力手段と、を有し、前記レイアウト表示手段は、前記印刷媒体が無定長ロールシートの場合には、ラベルデータ入力前において前記印刷媒体の所定長さのレイアウトを表示すると共に、該レイアウトの搬送方向後側に自由長の最大長さに対応する自由長シルエットを表示するシルエット表示手段と、前記印刷領域が自由長に設定されている場合には、その旨を表す自由長設定表記を表示する自由長設定表示手段と、を有し、前記レイアウトの長さと前記自由長シルエットの長さとを加算した長さは一定長さに設定されており、前記入力手段を介して前記レイアウトに文字が入力された際に、その入力文字数に対応して前記レイアウトの長さが拡大されるとともに、前記自由長シルエットの長さが縮小され、前記入力手段による文字入力時、前記レイアウトにより表わされる印字媒体の印刷領域の長さと前記自由長シルエットにより表わされる印刷領域の自由長の最大長さとを同時に表示すること特徴とする。
【０００６】
【０００７】
また、請求項２に係るラベルデータ作成装置は、請求項１に記載のラベルデータ作成装置において、前記自由長設定表示手段は、前記自由長設定表記を前記レイアウトの搬送方向後端縁部の近傍に表示することを特徴とする。
【０００８】
また、請求項３に係るラベルデータ作成装置は、請求項１又は請求項２に記載のラベルデータ作成装置において、前記シルエット表示手段は、前記印刷領域が自由長に設定されている場合と該印刷領域が固定長に設定される場合とで前記自由長シルエットの表示態様を異ならせることを特徴とする。
【０００９】
また、請求項４に係るラベルデータ作成装置は、請求項１乃請求項３のいずれかに記載のラベルデータ作成装置において、前記シルエット表示手段は、前記印刷領域が自由長に設定された場合には、前記所定長さを、搬送方向に複数文字のラベルデータを入力可能な長さに設定し、ラベルデータが入力された場合には、前記レイアウトの長さを、入力されたラベルデータの印刷長さに変更表示することを特徴とする。
【００１０】
また、請求項５に係るラベルデータ作成装置は、請求項１乃請求項４のいずれかに記載のラベルデータ作成装置において、前記シルエット表示手段は、前記印刷領域が固定長に設定された場合には、前記所定長さを固定長に設定し、前記自由長設定表示手段は、前記印刷領域が固定長に設定された場合には、前記自由長設定表記を表示しないことを特徴とする。
【００１１】
また、請求項６に係るラベルデータ作成装置は、請求項１乃請求項５のいずれかに記載のラベルデータ作成装置において、前記サイズ表示手段は、前記印刷媒体が無定長ロールシートの場合には、該無定長ロールシートの幅寸法を前記サイズとして表示することを特徴とする。
【００１２】
また、請求項７に係るラベルデータ作成装置は、請求項１乃請求項６のいずれかに記載のラベルデータ作成装置において、前記サイズ表示手段は、前記印刷媒体がダイカットの場合には、該ダイカットの幅寸法及び長さ寸法を前記サイズとして表示することを特徴とする。
【００１３】
また、請求項８に係るプログラムは、請求項１乃至請求項７のいずれかに記載のラベルデータ作成装置の印刷データ作成・編集手段としてコンピュータを機能させることを特徴とする。
【００１４】
更に、請求項９に係る記録媒体は、請求項１乃至請求項７のいずれかに記載のラベルデータ作成装置の印刷データ作成・編集手段としてコンピュータを機能させるためのプログラムが記録されてコンピュータで読み取り可能なことを特徴とする。
【発明の効果】
【００１５】
請求項１に係るラベルデータ作成装置では、印刷媒体のレイアウトが縦方向又は横方向に表示されることによって、ユーザは、ラベルデータの縦書き又は横書きを瞬時に判別することができる。また、印刷媒体のサイズが搬送方向先端縁部の搬送方向外側に該先端縁部に対して平行に表示されるため、ユーザは、印刷媒体のサイズを瞬時に知ることができると共に、レイアウトの搬送方向も一見しただけで知ることができる。
【００１６】
また、印刷媒体が無定長ロールシートの場合には、ラベルデータ入力前に所定長さのレイアウトが表示されると共に、該レイアウトの搬送方向後側に自由長の最大長さに対応する自由長シルエットが表示される。このため、ユーザは、印刷媒体が自由長又は固定長に設定可能な無定長ロールシートであることを瞬時に知ることが可能となる。また、印刷領域が自由長に設定されている場合には、その旨を表す自由長設定表記が表示されるため、ユーザは、自由長に設定されていることを一見しただけで知ることが可能となる。
【００１７】
また、請求項２に係るラベルデータ作成装置では、自由長設定表記がレイアウトの搬送方向後端縁部の近傍に表示されるため、ユーザは、印刷領域が搬送方向後方側に伸縮する自由長であることを更に容易に識別することができる。
【００１８】
また、請求項３に係るラベルデータ作成装置では、印刷領域が自由長に設定されている場合と該印刷領域が固定長に設定される場合とで自由長シルエットの表示態様が異なるため、ユーザは、印刷領域の設定が自由長であるのか、固定長であるのか瞬時に判別することが可能となる。
【００１９】
また、請求項４に係るラベルデータ作成装置では、印刷領域が自由長に設定されている場合には、ラベルデータ入力前に、搬送方向に複数文字のラベルデータを入力可能な長さのレイアウトが表示される。これにより、ユーザは印刷領域を容易に確認して、印刷領域内をマウスでクリックする等して、テキスト等を容易に入力開始することが可能となる。また、その後、ラベルデータが入力された場合には、レイアウトの長さを、入力されたラベルデータの印刷長さに変更表示するため、ユーザは、印刷ラベルの長さを容易に確認することができる。
【００２０】
また、請求項５に係るラベルデータ作成装置では、印刷領域が固定長に設定された場合には、当該固定長さのレイアウトが表示されると共に、該レイアウトの搬送方向後側に自由長の最大長さに対応する自由長シルエットが表示される。このため、ユーザは、印刷領域の固定長の長さを知ることができると共に、自由長に再度設定可能なことを容易に知ることが可能となる。また、印刷領域が固定長に設定された場合には、自由長設定表記が表示されないため、ユーザは、固定長に設定していることを一見して判別することができる。
【００２１】
また、請求項６に係るラベルデータ作成装置では、印刷媒体が無定長ロールシートの場合には、該無定長ロールシートの幅寸法がレイアウトの搬送方向先端縁部の搬送方向外側に該先端縁部に対して平行に表示されるため、ユーザは、無定長ロールシートの幅寸法を一見して知ることが可能となる。
【００２２】
また、請求項７に係るラベルデータ作成装置では、印刷媒体がダイカットの場合には、該ダイカットの幅寸法及び長さ寸法がレイアウトの搬送方向先端縁部の搬送方向外側に該先端縁部に対して平行に表示されるため、ユーザは、ダイカットのサイズを一見して知ることが可能となる。
【００２３】
また、請求項８に係るプログラムでは、コンピュータは当該プログラムを読み込むことによって、請求項１乃至請求項７のいずれかに記載のラベルデータ作成装置として機能することができる。
【００２４】
更に、請求項９に係る記録媒体では、請求項１乃至請求項７のいずれかに記載のラベルデータ作成装置の機能をコンピュータで実行されるプログラムとして備えることができる。このようなプログラムの場合、例えば、半導体メモリ、ハードディスク、フロッピー（登録商標）ディスク、データカード（ＩＣカード、磁気カード等）、光ディスク（ＣＤ−ＲＯＭ、ＤＶＤ等）、光磁気ディスク（ＭＤ等）、相変化ディスク、磁気テープ等のコンピュータで読み取り可能な記録媒体に記録し、必要に応じてコンピュータにロードして起動することにより用いることができる。この他、ＲＯＭやバックアップＲＡＭに前記プログラムを記録しておき、このＲＯＭやバックアップＲＡＭをコンピュータに組み込んで用いてもよい。
【発明を実施するための最良の形態】
【００２５】
以下、本発明に係るラベルデータ作成装置、プログラム及び記録媒体をラベル印刷システムについて、具体化した一実施例に基づいて図面を参照しつつ詳細に説明する。
【００２６】
先ず、本実施例に係るラベル印刷システム１の概略構成について図１に基づき説明する。図１は本実施例に係るラベル印刷システム１の概略構成を示す図である。
図１に示すように、本実施例に係るラベル印刷システム１は、パーソナルコンピュータ等から構成されるラベルデータ作成装置の一例としてのコンピュータ装置２と、このコンピュータ装置２と信号ケーブルＫ１を介して接続されるテープ印刷装置３とから構成されている。
また、コンピュータ装置２は、ホストコントローラ４、表示装置（例えば、ＣＲＴ、ＬＣＤ等）５、キーボード６、マウス７、イメージスキャナ８、及びＣＤリード・ライター（ＣＤ−Ｒ／Ｗ）９から構成されている。尚、マウス７は、ジョイスティックやトラックボール等に置き換えてもよい。また、ＣＤ−Ｒ／Ｗ９は、ＭＯ装置、ＤＶＤ装置等に置き換えてもよい。
【００２７】
次に、テープ印刷装置３の概略構成について図２乃至図５に基づいて説明する。
図２はテープ印刷装置３にロールシートホルダ１３が装着された状態を上カバー１４を開けて示す右側上方からの斜視図である。図３はロールシートホルダ１３をテープ印刷装置に装着した状態を示す側断面図である。図４はテープ印刷装置３の上カバー１４が開かれた状態を示す左前側上方からの斜視図である。図５はテープ印刷装置３の上カバー１４が開かれた状態を示す左後側上方からの斜視図である。
【００２８】
図２乃至図５に示すように、テープ印刷装置３は、樹脂製の本体筐体１１と、所定幅のロールシート１２Ａが巻回されたロールシートホルダ１２を収納するロールシートホルダ収納部１３の上側を覆うように後側上端縁部に開閉自在に取り付けられた透明樹脂製の側面視略半円形状に形成された上カバー１４とから構成されている。このロールシート１２Ａは、自己発色性を有する長尺状の感熱シート（いわゆる、サーマルペーパー）や、該感熱シートの片面に粘着剤を介して離形紙が貼り合わされた長尺状の無定長ロールシート１２Ａや、この無定長ロールシート１２Ａの感熱シートが予め所定形状に一定ピッチでハーフカットされたダイカット等で構成され、ロールシートホルダ１２に巻回されている。
【００２９】
また、上カバー１４の前側のフロントカバー１５には、印刷されたロールシート１２Ａを外部に排出するシート排出口１５Ａが形成されている。また、このシート排出口１５Ａの上側の前面部には電源ボタン１６Ａ、押下することによってシート排出口１５Ａの内側に設けられたカッターユニット１７（図３参照）を駆動させてロールシート１２Ａを切断するカットボタン１６Ｂ、押下することによってロールシート１２Ａを一定量搬送方向に排出するフィードボタン１６Ｃが略水平に配置されている。
【００３０】
ここで、カッターユニット１７は、図３に示すように、固定刃１７Ａと可動刃１７Ｂから構成され、可動刃１７ＢがＤＣモータ等で構成される切断用モータ８４により上下方向に往復移動される。そして、印刷済みロールシート１２Ａの搬送方向後側の切断位置が、固定刃１７Ａに対向する位置まで搬送された場合には、切断用モータ８４により可動刃１７Ｂを上下方向に移動させることによって、この印刷済みロールシート１２Ａが切断される。また、固定刃１７Ａと可動刃１７Ｂとによって切断されたロールシート１２Ａは、シート排出口１５Ａから排出される。尚、可動刃１７Ｂは正面視Ｖ字形に構成されている。
【００３１】
また、図２及び図３に示すように、トレイ部材１８がフロントカバー１５の前側を覆うように、このフロントカバー１５の下端縁部に開閉自在に取り付けられ、上端部に形成された凹み部１８Ａに指を掛けて前側に回動させて開くことができるように構成されている。
また、図５に示すように、本体筐体１１の背面部には不図示の電源コードが接続されるインレット１９が配設されると共に、その横側（図５中、左側である。）には、信号ケーブルＫ１が接続されるＵＳＢ（Universal Serial Bus）コネクタ２０が設けられている。
【００３２】
また、図２、図４及び図５に示すように、テープ印刷装置３は、ロールシートホルダ収納部１３の搬送方向に対して略垂直方向の一方の側端縁部（図２中、右側側端縁部）に、ロールシートホルダ１２を構成する位置決め保持部材２１の外側方向に突設される断面略矩形状の取付部材２２を嵌め込むことができるホルダ支持部材２３が設けられている。このホルダ支持部材２３には、幅方向上方に開口すると共に幅方向両側に開口する正面視略縦長Ｕの字状の第１位置決め溝部２４が形成されている。
【００３３】
また、ロールシート１２Ａを挿入する挿入口２６（図３参照）の後端縁部からロールシートホルダ収納部１３の前側上端縁部まで略水平に延出された載置部２９が設けられている。また、この載置部２９の搬送方向後側の端縁角部には、ロールシート１２Ａの複数の幅寸法に対応して断面略Ｌ字状の５個の第２位置決め溝部３０Ａ〜３０Ｅが形成されている。この各第２位置決め溝部３０Ａ〜３０Ｅは、図３に示すように、ロールシートホルダ１２を構成するガイド部材２８の載置部２９に当接する先端下端部分を上方から嵌め込むことができるように形成されている。
【００３４】
また、ロールシートホルダ収納部１３の底面部には、ホルダ支持部材２３の内側基端部から対向する側面部基端部まで搬送方向に対して略垂直に平面視横長四角形の位置決め凹部１３Ａが所定深さ（本実施形態では、約１．５〜３ｍｍの深さである。）で形成されている。この位置決め凹部１３Ａの搬送方向幅寸法は、ロールシートホルダ１２を構成する位置決め保持部材２１及びガイド部材２８の各下端縁部の幅寸法にほぼ等しくなるように形成されている。
【００３５】
また、位置決め凹部１３Ａのホルダ支持部材２３の内側基端部には、位置決め保持部材２１の下端縁部から略直角内側方向に延出されるシート判別部６０（図６参照）に対向する部分が、位置決め凹部１３Ａよりもさらに所定深さ（本実施形態では、約１．５〜３ｍｍの深さである。）だけ深くなるように形成された搬送方向に縦長の平面視長四角形の判別凹部１３Ｂが形成されている。
【００３６】
また、この判別凹部１３Ｂには、プッシュ式のマイクロスイッチ等から構成されて、ロールシート１２Ａの種別、材質、ロールシート幅等を判別するための６個のシート判別センサＰ１、Ｐ２、Ｐ３、Ｐ４、Ｐ５、Ｐ６がＬ字状に設けられている。
【００３７】
この各シート判別センサＰ１〜Ｐ６は、プランジャーとマイクロスイッチ等から構成される公知の機械式スイッチからなり、該各プランジャーの上端部は、該判別凹部１３Ｂの底面部から位置決め凹部１３Ａの底面部近傍まで突き出るように設けられている。そして、この各シート判別センサＰ１〜Ｐ６に対して位置決め保持部材２１の下端縁部から略直角内側方向に延出されるシート判別部６０に形成される各センサ孔６０Ａ〜６０Ｆ（図６参照）が有るか否かを検出して、そのオン・オフ信号によりロールシートホルダ１２に装着されたロールシート１２Ａの種別、材質、ロールシート幅等を検出するものである。
【００３８】
尚、本実例の場合は、各シート判別センサＰ１〜Ｐ６は、そのプランジャーが常には、判別凹部１３Ｂの底面から位置決め凹部１３Ａの底面部近傍まで突き出しており、マイクロスイッチがオフ状態になっている。そして、シート判別部６０の各センサ孔６０Ａ〜６０Ｆが、各シート判別センサＰ１〜Ｐ６に対向する位置に有る場合には、プランジャーが押下されずマイクロスイッチがオフ状態にあるので、オフ信号が出力される。
【００３９】
一方、シート判別部６０の各センサ孔６０Ａ〜６０Ｆが、各シート判別センサＰ１〜Ｐ６に対向する位置に無い場合には、プランジャーが押下されてマイクロスイッチがオン状態になるので、オン信号が出力される。従って、各シート判別センサＰ１〜Ｐ６によって６ビットの「０」、「１」信号が出力され、各シート判別センサＰ１〜Ｐ６が全てオフ状態の場合、即ち、ロールシートホルダ１２が装着されていない場合には、６ビットの「００００００」の信号が出力される。
【００４０】
また、ホルダ収納部４のホルダ支持部材２３と反対側の側端縁部に対向する上カバー１４の開口部周縁の内側には、断面円形状でリンクレバー３４の厚さにほぼ等しい高さに形成された係合軸３３が立設されている。そして、この係合軸３３には、サーマルヘッド３２（図３参照）を上下動させるリンクレバー３４の一方の端縁部に形成された貫通孔が嵌め込まれ、このリンクレバー３４の端縁部が回動可能且つ着脱可能に取り付けられている。
【００４１】
また、図３に示すように、挿入口２６のロールシート搬送方向奥側には、プラテンローラ３５のローラ軸３５Ａが回転自在に軸支されている。また、サーマルヘッド３２は押圧バネ３６によって上方に付勢されているヘッド支持部材３７の上面に固定されている。また、このヘッド支持部材３７の搬送方向に対して後側の端縁部は、フレーム３８の背面部によって上下方向に揺動可能に支持されている。
【００４２】
そして、この上カバー１４を後側方向に回動して開くことにより、リンクレバー３４が上カバー１４の動きに連動して後側方向に移動して、サーマルヘッド支持部材３７が下方に移動されて、サーマルヘッド３２が対向配置されているプラテンローラ３５から離間される。これにより、ロールシート１２Ａを挿入口２６から挿通して、プラテンローラ３５とサーマルヘッド３２との間に挿通可能な状態になる。
【００４３】
また、上カバー１４を閉じた場合には、リンクレバー３４が上カバー１４の動きに連動して前側方向に移動し、サーマルヘッド支持部材３７が上方に移動されて、サーマルヘッド３２が押圧バネ３６によってロールシート１２Ａをプラテンローラ３５に押圧付勢して印刷可能な状態になる。
また、ロールシートホルダ収納部１３の下側には、仕切壁３９を介して、コンピュータ装置２からの指令によりサーマルヘッド３２等の各機構部を駆動制御する制御回路部等が形成された制御基板４０が設けられている。
【００４４】
次に、ロールシートホルダ１２の概略構成について図６に基づいて説明する。
図６はロールシート１２Ａが装着されたロールシートホルダ１２の一例を示す下方からの斜視図である。
【００４５】
図６に示すように、巻芯に巻回されたロールシート１２Ａが回転可能に装着されるロールシートホルダ１２は、下記のように構成されている。
ロールシートホルダ１２を構成するガイド部材２８は、下側方向に延出されて、ロールシートホルダ収納部１３の底面部に形成される位置決め凹部１３Ａに嵌入されて該位置決め凹部１３Ａの底面に当接される第１延出部６３が形成されている。また、ガイド部材２８は、ロールシート１２Ａの前側方向略１／４円周上の外側端面部を覆うように載置部２９まで上側端縁部が前下がり状に延出される第２延出部６４が形成されている。
【００４６】
この第２延出部６４の下端面は略水平に形成され、先端側下端部は、装着されたロールシート１２Ａのシート幅に対向する各第２位置決め溝部３０Ａ〜３０Ｅのいずれかに嵌入されるように構成されている。また、この第２延出部６４の内側面によって装着されたロールシート１２Ａの一側端縁部を挿入口２６まで案内するように構成されている（図２参照）。
【００４７】
また、ガイド部材２８の内側面と位置決め保持部材２１の内側面に立設されたホルダ軸部材６２によって、ロールシート１２Ａが巻回された巻芯が回転可能に保持される。尚、ホルダ軸部材６２は、ロールシート１２Ａの巻芯の各長さ寸法に対応して複数種類（本実施例では、１２ｍｍ、１７ｍｍ、２９ｍｍ、３８ｍｍ、６２ｍｍの５種類である。）の長さ寸法のものが設けられている。
【００４８】
また、位置決め保持部材２１の取付部材２２は、正面視下方向（図６中、下方向）に幅狭になるように形成され、テープ印刷装置３のホルダ支持部材２３の下方向に幅狭な第１位置決め溝部２４内に密着可能に形成されている。また、この取付部材２２の突出高さ寸法は、この第１位置決め溝部２４の幅寸法にほぼ等しく形成されている。これにより、ロールシートホルダ１２を装着する場合は、取付部材２２を第１位置決め溝部２４に挿入することによって、該ロールシートホルダ１２を位置決めしつつ装着することができる。
【００４９】
また、位置決め保持部材２１の下端縁部は、ガイド部材２８の下端縁部よりも所定長さ（本実施例では、約１ｍｍ〜２．５ｍｍである。）下側方向に突出するように延出されると共に、該下端縁部には、略直角内側方向に所定長さ延出される略長四角形のシート判別部６０が形成されている。また、このシート判別部６０には、上述したように、各シート判別センサＰ１〜Ｐ６に対向する所定位置に貫通した各センサ孔６０Ａ〜６０Ｆが略Ｌ字状に配置されて形成される。尚、図６中、各センサ孔６０Ａ〜６０Ｆのうちの各センサ孔６０Ａ〜６０Ｃが、シート判別部６０に形成された状態を示している。
【００５０】
これにより、各センサ孔６０Ａ〜６０Ｆは、６個のうちの最大５個形成されるため、各センサ孔６０Ａ〜６０Ｆ毎の有無を「１」と「０」に対応させることにより、該ロールシートホルダ１２に装着されたロールシート１２Ａの種別、材質、ロールシート幅等を「０００００１」〜「１１１１１１」の６ビットの符号によって表示することができる。尚、「００００００」の６ビットの符号は、ロールシートホルダ１２が装着されていないことを表している。
【００５１】
次に、ラベル印刷システム１を構成するコンピュータ装置２の回路構成について図７に基づいて説明する。図７は図１に示すコンピュータ装置２の要部の回路構成を示す回路ブロック図である。
図７に示すように、コンピュータ装置２のホストコントローラ４は、ＣＰＵ４１、ＲＯＭ４２、ＲＡＭ４３、入出力インターフェース（Ｉ／Ｆ）４４、通信用インターフェース（Ｉ／Ｆ）４５、フロッピー（登録商標）ディスクコントローラ（ＦＤＣ）４６、フロッピー（登録商標）ディスクドライブ（ＦＤＤ）４７、ハードディスクコントローラ（ＨＤＣ）４８、ハードディスクドライブ（ＨＤＤ）４９、表示装置コントローラ５０、モデム５１等を備えている。また、ＣＰＵ４１、ＲＯＭ４２、ＲＡＭ４３、入出力インターフェース（Ｉ／Ｆ）４４、通信用インターフェース（Ｉ／Ｆ）４５、及びモデム５１は、バス線５２により相互に接続されて、相互にデータのやり取りが行われる。また、入出力Ｉ／Ｆ４４には、ＦＤＤ４７を駆動制御するＦＤＣ４６を介してＦＤＤ４７、ＨＤＤ４９を駆動制御するＨＤＣ４８を介してＨＤＤ４９、及び表示装置コントローラ５０が接続されている。また、モデム５１には電話回線５３が接続されている。
【００５２】
そして、ホストコントローラ４には、入出力Ｉ／Ｆ４４を介して文字や記号等を入力するためのキーボード６、表示装置５の表示画面上の座標を入力するためのマウス７、図面から外形線データ等を取り込むためのイメージスキャナ８、及び印刷用データや後述のレイアウト編集画面８９（図１２参照）を表示するレイアウト編集ソフト等の各種アプリケーションソフトウェア等をＣＤ−ＲＯＭ５６に書き込み及び読み込むためのＣＤ−Ｒ／Ｗ９が接続されている。また、ホストコントローラ４には、表示装置コントローラ５０を介して表示装置５が接続され、後述のようにレイアウト編集画面８９が表示され、無定長ロールシート１２Ａのレイアウト等が表示される。更に、ホストコントローラ４には、通信用Ｉ／Ｆ４５及び信号ケーブルＫ１を介してテープ印刷装置３が接続される。
【００５３】
また、ＣＰＵ４１は、ラベル印刷システム１全体を制御し、ラベル印刷システム１の動作に関する全てのデータを管理する。また、ＲＯＭ４２には、一般のパーソナルコンピュータと同様に電源投入時にコンピュータ装置２を立ち上げてＣＰＵ４１を起動させるための起動プログラムが格納されている。
【００５４】
また、ＲＡＭ４３は、ＣＰＵ４１が種々の制御を実行する際に、各種データを一時的に記憶するものであり、画像データ等のオブジェクト情報を記憶するオブジェクト情報記憶エリア４３Ａ、テープ印刷装置３に送信するテンプレートデータやキーボード６等を介して入力された文字列データや図柄データ等からなるラベルデータが記憶されるラベルデータ記憶エリア４３Ｂ等が設けられている。
また、通信用Ｉ／Ｆ４５は、例えば、セントロニクスインターフェースやＵＳＢ（Universal Serial Bus）等から構成され、テープ印刷装置３や外部の電子機器（例えば、コン
ピュータ、レーザプリンタ等）と双方向データ通信が可能になっている。
【００５５】
また、ＨＤＤ４９に装着されるハードディスクには、ＭＳ−ＤＯＳ（登録商標）やウィンドウズ（登録商標）システム等の各種オペレーティングシステム（ＯＳ）に加えて、テープ印刷装置３や外部の電子機器に対してデータの送受信を行うための通信用プロトコル、ブラウザや当該ＯＳにて実行可能なワープロソフトや印刷用ラベルデータを作成するレイアウト編集ソフト等の各種アプリケーションソフトウェアが必要に応じて格納されている。
また、ＦＤＤ４７に着脱自在に装着されるフロッピー（登録商標）ディスク（ＦＤ）５５には、各種印刷データが格納保存される。
【００５６】
また、ＣＤ−Ｒ／Ｗ９に着脱自在に装着される光ディスク（ＣＤ−ＲＯＭ）５６には、後述する印刷領域にテキストやオブジェクトを挿入表示して編集するレイアウト編集画面８９等の制御処理の制御プログラム等と共に、ＧＩＦ、ＪＰＥＧ、ＢＭＰ等の様々な形式の各種オブジェクトのオブジェクト情報（例えば、オブジェクト名、オブジェクトの原画像の縦寸法、オブジェクトの原画像の横寸法、画像データ等である。）が記録されて、各種ラベル作成装置に供給される。
【００５７】
次に、ラベル印刷システム１を構成するテープ印刷装置３の回路構成について図８乃至図１０に基づき説明する。
図８は図１に示すテープ印刷装置３の要部の回路構成を示す回路ブロック図である。図９はテープ印刷装置３のＲＯＭに記憶されるシート種類テーブルの一例を示す図である。図１０はテープ印刷装置３のＲＯＭに記憶されるダイカット種類テーブルの一例を示す図である。
【００５８】
図８に示すように、テープ印刷装置３の制御基板４０上に形成される制御回路部７０は、ＣＰＵ７１、ＣＧ（キャラクタジェネレータ）ＲＯＭ７２、ＲＯＭ７３、フラッシュメモリ（ＥＥＰＲＯＭ）７４、ＲＡＭ７５、入出力インターフェース（Ｉ／Ｆ）７６、通信用インターフェース（Ｉ／Ｆ）７７等を備えている。また、ＣＰＵ７１、ＣＧＲＯＭ７２、ＲＯＭ７３、フラッシュメモリ７４、ＲＡＭ７５、入出力インターフェース（Ｉ／Ｆ）７６、通信用インターフェース（Ｉ／Ｆ）７７は、バス線７８により相互に接続されて、相互にデータのやり取りが行われる。
【００５９】
ここに、ＣＧＲＯＭ７２には各キャラクタに対応するドットパターンデータが記憶されており、ドットパターンデータがＣＧＲＯＭ７２から読み出され、そのドットパターンデータに基づいてロールシート１２Ａの感熱シート上にドットパターンが印刷される。
また、ＲＯＭ７３は、各種のプログラムを記憶させておくものであり、無定長ロールシート１２Ａのラベル作成処理プログラム等のテープ印刷装置３の制御上必要な各種のプログラムが記憶されている。また、ＲＯＭ７３には、各シート判別センサＰ１〜Ｐ６から入力される６ビットの各符号に対するロールシート１２Ａの種別が格納されたシート種類テーブル７３１（図９参照）や、各シート判別センサＰ１〜Ｐ６から入力される６ビットの各符号に対するロールシート１２Ａの感熱シートの材質等が記憶されている。また、ＲＯＭ７３には、各ダイカットのダイカットラベルの寸法が格納されたダイカット種類テーブル７３２（図１０参照）が記憶されている。
【００６０】
ここで、各シート判別センサＰ１〜Ｐ６から入力される６ビットの各符号に対するロールシート１２Ａの種別が格納されたシート種類テーブル７３１の一例について図９に基づいて説明する。
図９に示すように、シート種類テーブル７３１は、各シート判別センサＰ１〜Ｐ６から入力される６ビットの符号を表す「シート判別センサ」と、各６ビットの符号に対応するロールシート１２Ａの種類を表す「ロールシート種類」とから構成されている。
【００６１】
例えば、「シート判別センサ」が「１１０１００」に対応する「ロールシート種類」には、１２ｍｍ幅の無定長ロールシート１２Ａを表す「１２ｍｍ無定長」が格納されている。また、「シート判別センサ」が「１１１００１」に対応する「ロールシート種類」には、１２ｍｍ幅の無定長ロールシート１２Ａの感熱シートが予め所定形状に一定ピッチでハーフカットされたダイカットを表す「１２ｍｍダイカット１」が格納されている。
【００６２】
ここで、各ダイカットのダイカットラベルの寸法が格納されたダイカット種類テーブル７３２の一例について図１０に基づいて説明する。
図１０に示すように、ダイカット種類テーブル７３２は、ダイカットの種類を表す「ダイカット種類」と、ハーフカットされたダイカットラベルの寸法を表す「幅×長さ」とから構成されている。例えば、「ダイカット種類」が「１２ｍｍダイカット１」に対応する「幅×長さ」には、「１２ｍｍ×５４ｍｍ」が格納されている。つまり、「１２ｍｍダイカット１」は、１２ｍｍ幅の無定長ロールシート１２Ａの感熱シートが予め「１２ｍｍ×５４ｍｍ」のダイカットラベルに一定ピッチでハーフカットされている。
【００６３】
そして、ＣＰＵ７１はかかるＲＯＭ７３に記憶されている各種のプログラムに基づいて各種の演算を行なうものである。また、ＲＯＭ７３には、多数の文字等のキャラクタのそれぞれについて、各キャラクタの輪郭線を規定する輪郭線データ（アウトラインデータ）が各書体（ゴシック系書体、明朝体系書体等）毎に分類されてコードデータに対応して記憶されている。このアウトラインデータに基づいてドットパターンデータが印刷バッファ７５Ａ上に展開される。
【００６４】
また、フラッシュメモリ７４は、外部のコンピュータ装置２等から受信した外字データ等のドットパターンデータや各種図柄データのドットパターンデータ等に登録番号を付して記憶させておくものであり、テープ印刷装置３の電源をオフしても記憶内容を保持している。
【００６５】
また、ＲＡＭ７５は、ＣＰＵ７１により演算された各種の演算結果を一時的に記憶させておくためのものであり、印刷バッファ７５Ａ、ワーク領域７５Ｂ等の各種のメモリが設けられている。また、印刷バッファ７５Ａには、複数の文字や記号等の印刷用ドットパターンや各ドットの形成エネルギー量である印加パルス数等がドットパターンデータとして格納され、サーマルヘッド３２はかかる印刷バッファ７５Ａに記憶されているドットパターンデータに従ってドット印刷を行う。
【００６６】
また、入出力Ｉ／Ｆ７６には、シート判別センサＰ１〜Ｐ６、サーマルヘッド３２を駆動する為の駆動回路８１、プラテンローラ３５を回転駆動するシート送りモータ８２を駆動するために駆動回路８３、可動刃１７Ｂを上下に往復移動させる切断用モータ８４を駆動するための駆動回路８５等がそれぞれ接続されている。
【００６７】
また、通信用Ｉ／Ｆ７７は、ＵＳＢコネクタ２０に接続され、外部のコンピュータ装置２と信号ケーブルＫ１によって接続され、双方向データ通信が可能になっている。従って、コンピュータ装置２のＣＰＵ４１からテープ印刷装置３に装着されているロールシート１２Ａに関する情報の送信要求があった場合には、ＣＰＵ７１は、各シート判別センサＰ１〜Ｐ６の出力信号に基づいて当該テープ印刷装置３に装着されているロールシート１２Ａに関する情報をシート種類テーブル７３１やダイカット種類テーブル７３２等から読み出し、コンピュータ装置２に送信する。また、ＣＰＵ７１は、コンピュータ装置２のＣＰＵ４１から送信された印刷指示コマンドと印刷データに基づいてラベルシートを作成する。
【００６８】
次に、このように構成されたテープ印刷システム１のコンピュータ装置２のＣＰＵ４１によるロールシート１２Ａに印刷するラベルデータのレイアウトを編集するレイアウト編集画面８９を表示装置５の表示画面に表示する表示制御処理について図１１乃至図１９に基づいて説明する。
【００６９】
図１１は図１に示すコンピュータ装置２のＣＰＵ４１によるレイアウト編集画面８９を表示装置５の表示画面に表示する表示制御処理を示すフローチャートである。図１２は無定長ロールシート１２Ａの自由長印刷モードに設定された場合の起動時におけるレイアウト編集画面８９の一例を示す図である。図１３は図１２の印刷領域にテキストを１文字入力した場合のレイアウト編集画面８９の一例を示す図である。図１４は図１３の印刷領域にテキストを更に２文字入力した場合のレイアウト編集画面８９の一例を示す図である。図１５は無定長ロールシート１２Ａの固定長印刷モードに設定された場合のレイアウト編集画面８９の一例を示す図である。図１６は図１２の自由長・固定長切替ボタン９３をマウス７でクリックした場合のレイアウトの表示切り替えの一例を示す図である。図１７は図１５の印刷領域にテキストを２文字入力した場合のレイアウト編集画面８９の一例を示す図である。図１８はダイカットの場合の起動時におけるレイアウト編集画面８９の一例を示す図である。図１９は図１８の印刷領域にテキストを３文字入力した場合のレイアウト編集画面８９の一例を示す図である。
【００７０】
図１１に示すように、先ず、ステップ（以下、Ｓと略記する）１１において、コンピュータ装置２のＣＰＵ４１は、無定長ロールシート１２Ａ等に印刷するラベルデータを作成するためのレイアウト編集ソフトが起動された場合には、通信用インターフェース４５を介して、テープ印刷装置３のＣＰＵ７１から当該テープ印刷装置３に装着されているロールシート１２Ａの種類（無定長ロールシート、ダイカット等である。）、シート幅、ダイカットラベルの寸法等のロールシート１２Ａに関する情報を取得する。
【００７１】
続いて、Ｓ１２において、ＣＰＵ４１は、テープ印刷装置３からロールシート１２Ａに関する情報を取得できたか否かを判定する判定処理を実行する。そして、テープ印刷装置３からロールシート１２Ａに関する情報を取得できた場合には（Ｓ１２：ＹＥＳ）、ＣＰＵ４１は、Ｓ１３の処理に移行する。Ｓ１３において、ＣＰＵ４１は、テープ印刷装置３から取得したロールシート１２Ａに関する情報をＨＤＤ４９に記憶後、Ｓ１５の処理に移行する。
【００７２】
例えば、ロールシート１２Ａが無定長ロールシート１２Ａの場合には、無定長ロールシートである旨、シート幅等がロールシート１２Ａに関する情報としてＨＤＤ４９に記憶される。また、ロールシート１２Ａがダイカットの場合には、ダイカットである旨、ダイカットラベルの幅寸法及び長さ寸法等がロールシート１２Ａに関する情報としてＨＤＤ４９に記憶される。
【００７３】
一方、テープ印刷装置３からロールシート１２Ａに関する情報を取得できない場合には（Ｓ１２：ＮＯ）、ＣＰＵ４１は、Ｓ１４の処理に移行する。Ｓ１４において、ＣＰＵ４１は、前回のテキスト等を印刷した際に使用したロールシート１２Ａに関する情報をＨＤＤ４９から読み出し、テキスト等を印刷するロールシート１２Ａに関する情報としてＨＤＤ４９に再度記憶後、Ｓ１５の処理に移行する。
【００７４】
続いて、Ｓ１５において、ＣＰＵ４１は、テキストを印刷するロールシート１２Ａに関する情報をＨＤＤ４９から読み出し、当該ロールシート１２Ａが無定長ロールシート１２Ａか否かを判定する判定処理を実行する。
【００７５】
そして、当該ロールシート１２Ａが無定長ロールシート１２Ａの場合には（Ｓ１５：ＹＥＳ）、ＣＰＵ４１は、Ｓ１６の処理に移行する。Ｓ１６において、ＣＰＵ４１は、無定長ロールシート１２Ａの自由長印刷モードに設定されたレイアウト編集画面８９を表示装置５の表示画面に表示する。尚、レイアウト編集ソフトが起動された場合には、無定長ロールシート１２Ａの印刷モードは、自由長印刷モードに設定され、印刷するテキスト等のラベルデータは横書きに設定される。
【００７６】
ここで、無定長ロールシート１２Ａの自由長印刷モードに設定された場合の起動時におけるレイアウト編集画面８９の一例を図１２に基づいて説明する。
図１２に示すように、ＣＰＵ４１は、表示装置５に、レイアウト表示画面９０が形成されたレイアウト編集画面８９を表示する。そして、テープ印刷装置３にシート幅が２９ｍｍの無定長ロールシート１２Ａが装着されている場合には、ＣＰＵ４１は、レイアウト表示画面９０に無定長ロールシート１２Ａを表す幅が２９ｍｍで搬送方向所定長さ（本実施例では、約２８ｍｍである。）の四角形のレイアウト９１を、印刷するテキスト等のラベルデータが横書きであるため、レイアウト９１の搬送方向がレイアウト表示画面９０の左右方向に沿うように表示する。そして、レイアウト９１の内側に四角形の印刷領域９１Ａを破線で表示する。つまり、レイアウト９１は、印刷領域９１Ａに表示可能な最大フォントサイズのテキストを搬送方向に２文字乃至３文字程度入力可能な長さで表示される。
【００７７】
また、ＣＰＵ４１は、印刷するテキスト等のラベルデータが横書きであると共に、無定長ロールシート１２Ａが装着されていることを表すため、幅が２９ｍｍの半透明横長四角形のシルエット９２をレイアウト９１の右側端縁部（搬送方向後側）からレイアウト表示画面９０の側端縁部まで表示する。また、「Ａｕｔｏ」の文字が、自由長印刷モードに設定されている旨を表す自由長設定表記として、シルエット９２の左上角部に表示されると共に、自由長印刷モードに設定されている旨を表すように当該シルエット９２の輝度を上げて、明るく表示している。尚、シルエット９２は、自由長印刷モードで設定可能な自由長さの最大長さに対応する長さまで表示可能である。
【００７８】
また、レイアウト表示画面９０の上側には、自由長印刷モードと固定長印刷モードとを切り替える旨を指示する自由長・固定長切替ボタン９３が配置されている。また、自由長・固定長切替ボタン９３の左側には、無定長ロールシート１２Ａの固定長さを設定する固定長さ入力枠９４が設けられている。また、固定長さ入力枠９４の下側には、テープ印刷装置３に装着される無定長ロールシート１２Ａの幅寸法が表示されるシート幅入力枠９５が表示されている。また、テキスト等のラベルデータの横書きを設定する横書き設定ボタン９７とテキスト等のラベルデータの縦書きを設定する縦書き設定ボタン９８とが並列に設けられている。また、テキストのフォントサイズが表示されるフォントサイズ表示枠９９が設けられている。
【００７９】
尚、自由長印刷モードに設定されている場合には、固定長さ入力枠９４に「Ａｕｔｏ」の文字が表示される。また、固定長印刷モードに設定されている場合には、固定長さ入力枠９４に固定長さが表示される。また、テープ印刷装置３にダイカットが装着された場合には、シート幅入力枠９５にダイカットラベルのシート幅方向の寸法と搬送方向長さ寸法が表示される。
【００８０】
また、ＣＰＵ４１は、レイアウト９１の左側端縁部（搬送方向先端縁部）の外側に、該左側端縁部に平行にシート幅を表す「２９ｍｍ」の文字列を表示して、当該レイアウト９１の搬送方向を表す。そして、ユーザがこの印刷領域９１Ａ内の座標位置をマウス７等で指示し、キーボード６等を介してラベルデータとして各文字や図形等を特定して入力することにより、ＣＰＵ４１は、指示された位置に各文字や図形を印刷領域９１Ａに表示可能な最大フォントサイズ等の所定サイズで配置して表示する。また、ＣＰＵ４１は、各ラベルデータを、該印刷領域９１Ａに対応するテキストデータやイメージデータとしてＲＡＭ４３に記憶する。
【００８１】
ここで、図１２の印刷領域９１Ａにテキストを入力した一例を図１３及び図１４に基づいて説明する。
図１３に示すように、キーボード６から「１」が入力された場合には、ＣＰＵ４１は、自由長印刷モードに設定されているため、印刷領域９１Ａに入る最大フォントサイズで「１」を表示すると共に、このレイアウト９１を１文字分の長さに横方向に縮小する。また、同時に、ＣＰＵ４１は、シルエット９２の左端部が、レイアウト９１に接続されるように延長表示する。また、自由長印刷モードに設定されている旨を表す「Ａｕｔｏ」の文字を、このシルエット９２の左上角部に表示する。
【００８２】
そして、図１４に示すように、キーボード６から更に「２」と「３」が入力された場合には、自由長印刷モードに設定されているため、印刷領域９１Ａに入る最大フォントサイズで「１」に続けて「２３」を表示すると共に、このレイアウト９１を３文字分の長さに横方向に拡大する。また、同時に、ＣＰＵ４１は、シルエット９２の左端部が、レイアウト９１に接続されるように縮めて表示する。また、自由長印刷モードに設定されている旨を表す「Ａｕｔｏ」の文字を、このシルエット９２の左上角部に表示する。
【００８３】
尚、「Ａｕｔｏ」の文字は、レイアウト９１の搬送方向後端縁部の近傍であれば、シルエット９２の外側に表示するようにしてもよい。また、「Ａｕｔｏ」の文字に替えて、「自由長」、「自動設定」等の文字や、丸印、二重丸印等の記号やマークをシルエット９２の左上角部等に表示して、自由長印刷モードに設定されている旨を表すようにしてもよい。
【００８４】
また、図１２の状態で、縦書き設定ボタン９８がマウス７でクリックされた場合には、ＣＰＵ４１は、レイアウト９１、シルエット９２、シート幅を表す「２９ｍｍ」の文字列、及び自由長印刷モードに設定されている旨を表す「Ａｕｔｏ」の文字を一体的に右方向に９０度回転させて、レイアウト表示画面９０の縦方向に表示する。尚、ＣＰＵ４１は、シルエット９２を、レイアウト９１の下側端縁部からレイアウト表示画面９０の下側端縁部まで表示するように縦方向に縮めて表示する。
【００８５】
そして、再度、横書き設定ボタン９７が押下された場合には、ＣＰＵ４１は、レイアウト９１、シルエット９２、シート幅を表す「２９ｍｍ」の文字列、及び自由長印刷モードに設定されている旨を表す「Ａｕｔｏ」の文字を一体的に左方向に９０度回転させて、図１２の状態で表示する。
尚、レイアウト９１を縦方向に表示した場合には、該レイアウト９１及びシルエット９２がレイアウト表示画面９０内に表示されるように、縦方向のルーラを変更する。
【００８６】
続いて、図１１に示すように、Ｓ１７において、ＣＰＵ４１は、自由長・固定長切替ボタン９３がマウス７でクリックされたか否か、即ち、固定長印刷モードに設定されたか否かを判定する判定処理を実行する。そして、自由長・固定長切替ボタン９３がマウス７でクリックされていない場合には（Ｓ１７：ＮＯ）、ＣＰＵ４１は、当該処理を終了する。
【００８７】
一方、自由長・固定長切替ボタン９３がマウス７でクリックされた場合には（Ｓ１７：ＹＥＳ）、ＣＰＵ４１は、Ｓ１８の処理に移行する。Ｓ１８において、ＣＰＵ４１は、無定長ロールシート１２Ａの自由長印刷モードに設定されたレイアウト編集画面８９を、無定長ロールシート１２Ａの固定長印刷モードに設定されたレイアウト編集画面８９に変更して当該処理を終了する。
【００８８】
ここで、図１２に示すレイアウト編集画面８９の自由長・固定長切替ボタン９３がマウス７でクリックされて、無定長ロールシート１２Ａの固定長印刷モードに設定された場合のレイアウト編集画面８９の一例を図１５及び図１６に基づいて説明する。
図１５に示すように、ＣＰＵ４１は、幅が２９ｍｍで搬送方向所定長さ（本実施例では、約２８ｍｍである。）の四角形のレイアウト９１に替えて、幅が２９ｍｍで固定長さ入力枠９４に入力された固定長さ９０ｍｍに設定された横長四角形のレイアウト１０１をレイアウト表示画面９０に表示する。そして、レイアウト１０１の内側に横長四角形の印刷領域１０１Ａを破線で表示する。
【００８９】
また、ＣＰＵ４１は、印刷するテキスト等のラベルデータが横書きであると共に、無定長ロールシート１２Ａが装着されていることを表すため、幅が２９ｍｍの半透明横長四角形のシルエット１０２をレイアウト１０１の右側端縁部からレイアウト表示画面９０の側端縁部まで表示する。また、固定長印刷モードに設定されている旨を表すため、自由長印刷モードに設定されている旨を表す「Ａｕｔｏ」の文字を消去すると共に、シルエット１０２の輝度をシルエット９２の輝度よりも下げて、暗めに表示する。
【００９０】
また、ＣＰＵ４１は、レイアウト１０１の左側端縁部（搬送方向先端縁部）の外側に、該左側端縁部に平行にシート幅を表す「２９ｍｍ」の文字列を表示して搬送方向を表す。
また、図１６に示すように、自由長・固定長切替ボタン９３をマウス７でクリックする毎に、自由長印刷モードに設定された場合にレイアウト９１等と固定長印刷モードに設定された場合のレイアウト１０１等との表示が切り替えられる。
【００９１】
また、図１５の状態で、縦書き設定ボタン９８がマウス７でクリックされた場合には、ＣＰＵ４１は、レイアウト１０１、シルエット１０２、及びシート幅を表す「２９ｍｍ」の文字列を一体的に右方向に９０度回転させて、レイアウト表示画面９０の縦方向に表示する。尚、ＣＰＵ４１は、シルエット１０２を、レイアウト１０１の下側端縁部からレイアウト表示画面９０の下側端縁部まで表示するように縦方向に縮めて表示する。
【００９２】
そして、再度、横書き設定ボタン９７が押下された場合には、ＣＰＵ４１は、レイアウト１０１、シルエット１０２、及びシート幅を表す「２９ｍｍ」の文字列を一体的に左方向に９０度回転させて、図１５の状態で表示する。
尚、レイアウト１０１を縦方向に表示した場合には、該レイアウト１０１及びシルエット１０２がレイアウト表示画面９０内に表示されるように、縦方向のルーラを変更する。
【００９３】
そして、ユーザがこの印刷領域１０１Ａ内の座標位置をマウス７等で指示し、キーボード６等を介してラベルデータとして各文字や図形等を特定して入力することにより、ＣＰＵ４１は、指示された位置に各文字や図形を印刷領域１０１Ａに表示可能な最大フォントサイズ等の所定サイズで配置して表示する。また、ＣＰＵ４１は、各ラベルデータを、該印刷領域１０１Ａに対応するテキストデータやイメージデータとしてＲＡＭ４３に記憶する。
【００９４】
ここで、図１５の印刷領域１０１Ａにテキストを入力した一例を図１７に基づいて説明する。
図１７に示すように、キーボード６から「Ａ」と「Ｂ」が入力された場合には、ＣＰＵ４１は、固定長印刷モードに設定されているため、レイアウト１０１の長さを変更することなく、「Ａ」と「Ｂ」を印刷領域１０１Ａに入る最大フォントサイズで印刷領域１０１の左側に寄せて表示する。また、ＣＰＵ４１は、このラベルデータを、該印刷領域１０１Ａに対応するテキストデータとしてＲＡＭ４３に記憶する。
【００９５】
尚、自由長印刷モードに設定されている場合に表示される半透明横長四角形のシルエット９２と固定長印刷モードに設定されている場合に表示される半透明横長四角形のシルエット１０２とは、輝度を変更して区別したが、各シルエット９２、１０２の色を異ならせたり、異なる模様を付して区別するようにしてもよい。
【００９６】
続いて、図１１に示すように、上記Ｓ１５でロールシート１２Ａが無定長ロールシート１２Ａでない場合、即ち、ロールシート１２Ａが無定長ロールシート１２Ａの感熱シートが予め所定形状に一定ピッチでハーフカットされたダイカットの場合には（Ｓ１５：ＮＯ）、ＣＰＵ４１は、Ｓ１９の処理に移行する。Ｓ１９において、ＣＰＵ４１は、感熱シートがハーフカットされたダイカットラベルのレイアウト１０５をレイアウト表示画面９０に表示したレイアウト編集画面８９を表示装置５の表示画面に表示して、当該処理を終了する。
【００９７】
ここで、テープ印刷装置３に装着されたロールシート１２Ａがダイカットの場合の起動時におけるレイアウト編集画面８９の一例を図１８に基づいて説明する。
図１８に示すように、ＣＰＵ４１は、表示装置５に、レイアウト表示画面９０が形成されたレイアウト編集画面８９を表示する。そして、テープ印刷装置３にシート幅方向の幅が３８ｍｍで、搬送方向の長さが９０ｍｍのダイカットラベルが所定ピッチで形成されたダイカットが装着されている場合には、ＣＰＵ４１は、レイアウト表示画面９０にダイカットラベルを表す幅が３８ｍｍで搬送方向長さ９０ｍｍのレイアウト１０５を表示する。そして、レイアウト１０５の内側に横長四角形の印刷領域１０５Ａを破線で表示する。
【００９８】
また、ＣＰＵ４１は、印刷するテキスト等のラベルデータが横書きであることを表すため、横長四角形のレイアウト１０５の長辺をレイアウト表示画面９０の左右方向に沿って表示する。また、ＣＰＵ４１は、レイアウト１０５の左側端縁部（搬送方向先端縁部）の外側に、該左側端縁部に平行にダイカットラベルのシート幅方向の幅と搬送方向の長さを表す「３８ｍｍ×９０ｍｍ」の文字列を２段書きで表示して、当該レイアウト１０５の搬送方向を表す。
【００９９】
また、ＣＰＵ４１は、シート幅入力枠９５に、ダイカットラベルのシート幅方向の幅と搬送方向の長さを表す「３８ｍｍ×９０ｍｍ」の文字列を表示する。
尚、ロールシート１２Ａはダイカットであるため、ＣＰＵ４１は、シルエット９２やシルエット１０１に相当するシルエットをレイアウト表示画面９０に表示しない。
【０１００】
また、図１８の状態で、縦書き設定ボタン９８がマウス７でクリックされた場合には、ＣＰＵ４１は、レイアウト１０５及びダイカットラベルのシート幅方向の幅と搬送方向の長さを表す「３８ｍｍ×９０ｍｍ」の文字列を一体的に右方向に９０度回転させて、レイアウト表示画面９０の縦方向に表示する。そして、再度、横書き設定ボタン９７が押下された場合には、ＣＰＵ４１は、レイアウト１０５及びダイカットラベルのシート幅方向の幅と搬送方向の長さを表す「３８ｍｍ×９０ｍｍ」の文字列を一体的に左方向に９０度回転させて、図１８の状態で表示する。尚、レイアウト１０５を縦方向に表示した場合には、該レイアウト１０５がレイアウト表示画面９０内に表示されるように、縦方向のルーラを変更する。
【０１０１】
そして、ユーザがこの印刷領域１０５Ａ内の座標位置をマウス７等で指示し、キーボード６等を介してラベルデータとして各文字や図形のサイズを特定して入力することにより、ＣＰＵ４１は、指示された位置に各文字や図形を所定サイズで配置して表示する。また、ＣＰＵ４１は、各ラベルデータを、該印刷領域１０５Ａに対応するテキストデータやイメージデータとしてＲＡＭ４３に記憶する。
【０１０２】
次に、図１８の印刷領域１０５Ａにテキストを入力した一例を図１９に基づいて説明する。
図１９に示すように、左揃えボタン１００がマウス７でクリックされた後、キーボード６から「Ａ」、「Ｂ」、「Ｃ」が入力された場合には、ＣＰＵ４１は、印刷領域１０５Ａの上下方向中央部に「ＡＢＣ」のテキストをフォントサイズ表示枠９９に表示されるフォントサイズで左側に寄せて横書き表示する。また、ＣＰＵ４１は、このラベルデータを、該印刷領域１０５Ａに対応するテキストデータとしてＲＡＭ４３に記憶する。
【０１０３】
ここで、コンピュータ装置２は、ラベルデータ作成装置として機能する。また、ＣＰＵ４１及び表示装置５は、表示手段を構成する。また、ロールシート１２Ａ、無定長ロールシート１２Ａ、ダイカットは、印刷媒体として機能する。また、ＣＰＵ４１、ＲＯＭ４２、ＲＡＭ４３、ＨＤＤ４９は、印刷データ作成・編集手段、レイアウト表示手段、サイズ表示手段、印刷領域設定手段、シルエット表示手段、自由長設定表示手段を構成する。また、各シルエット９２、１０２は、自由長シルエットとして機能する。
【０１０４】
以上詳細に説明した通り、本実施例に係るラベル印刷システム１では、コンピュータ装置２のＣＰＵ４１は、無定長ロールシート１２Ａがテープ印刷装置３に装着されている場合には、該無定長ロールシート１２Ａの幅寸法を、レイアウト編集画面８９のレイアウト表示画面９０に表示された各レイアウト９１、１０１の左側端縁部（搬送方向先端縁部）の外側に、該左側端縁部に平行に表示する。これにより、ユーザは、無定長ロールシート１２Ａの幅寸法を一見して知ることが可能となると共に、各レイアウト９１、１０１の搬送方向も一見しただけで知ることができる。
【０１０５】
また、ＣＰＵ４１は、テープ印刷装置３に装着されたロールシート１２Ａがダイカットの場合には、ダイカットラベルのシート幅方向の幅と搬送方向の長さを、レイアウト編集画面８９のレイアウト表示画面９０に表示されたダイカットラベルのレイアウト１０５の左側端縁部（搬送方向先端縁部）の外側に、該左側端縁部に平行に表示する。これにより、ユーザは、ダイカットラベルのシート幅方向の幅と搬送方向の長さを一見して知ることが可能となると共に、レイアウト１０５の搬送方向も一見しただけで知ることができる。
【０１０６】
また、ＣＰＵ４１は、無定長ロールシート１２Ａがテープ印刷装置３に装着されている場合には、各レイアウト９１、１０１の右側端縁部（搬送方向後側）からレイアウト表示画面９０の側端縁部まで、該各レイアウト９１、１０１と同じ幅の半透明横長四角形の各シルエット９２、１０２を表示する。また、ＣＰＵ４１は、各シルエット９２、１０２の輝度を異ならせて表示する。これにより、ユーザは、ロールシート１２Ａが自由長印刷モード又は固定長印刷モードに設定可能な無定長ロールシート１２Ａであることを瞬時に知ることが可能となる。また、ユーザは、各シルエット９２、１０２の輝度が異なることから、レイアウト９１の印刷領域９１Ａが搬送方向後方側に伸縮する自由長印刷モードに設定されているか否かを判別することが可能となる。
【０１０７】
また、ＣＰＵ４１は、無定長ロールシート１２Ａがテープ印刷装置３に装着され、且つ、自由長印刷モードに設定されている場合には、シルエット９２のレイアウト９１に近い端縁部に「Ａｕｔｏ」の文字を表示する。一方、ＣＰＵ４１は、無定長ロールシート１２Ａがテープ印刷装置３に装着され、且つ、固定長印刷モードに設定されている場合には、シルエット１０２のレイアウト１０１に近い端縁部に「Ａｕｔｏ」の文字を表示しない。これにより、ユーザは、「Ａｕｔｏ」の文字の有・無により、レイアウト９１の印刷領域９１Ａが搬送方向後方側に伸縮する自由長印刷モードに設定されているか否かを一見しただけで知ることが可能となる。
【０１０８】
また、ＣＰＵ４１は、固定長印刷モードに設定されている場合には、印刷領域１０１Ａが固定長さのレイアウト１０１が表示されると共に、該レイアウト１０１の搬送方向後側に自由長の最大長さに対応するシルエット１０２が表示される。このため、ユーザは、印刷領域１０１Ａの固定長の長さを知ることができると共に、自由長印刷モードに再度設定可能なことを容易に知ることが可能となる。
【０１０９】
また、ＣＰＵ４１は、無定長ロールシート１２Ａがテープ印刷装置３に装着され、且つ、自由長印刷モードに設定されている場合には、レイアウト編集画面８９の起動時に、印刷領域９１Ａに表示可能な最大フォントサイズのテキストを搬送方向に２文字乃至３文字程度入力可能な長さのレイアウト９１を表示する。そして、テキストがキーボード６から入力された場合には、印刷領域９１Ａに入力されたテキストを表示すると共に、レイアウト９１の長さを入力されたテキストの印刷長さに変更表示する。このため、ユーザは、レイアウト編集画面８９の起動時にマウス７で印刷領域９１Ａを容易にクリックしてテキストの入力を開始することができる。また、ユーザは、入力したテキスト等が印刷されたラベルシートの長さを容易に確認することができる。
【０１１０】
また、縦書き設定ボタン９８がマウス７でクリックされた場合には、ＣＰＵ４１は、レイアウト表示画面９０に表示されている各レイアウト９１、１０１、各シルエット９２、１０２、シート幅を表す「２９ｍｍ」の文字列、及び自由長印刷モードに設定されている旨を表す「Ａｕｔｏ」の文字を一体的に右方向に９０度回転させる。これにより、ユーザは、シート幅を表す「２９ｍｍ」の文字列の位置と各シルエット９２、１０２の向きにより、テキスト等のラベルデータが縦書きか横書きかを容易に知ることが可能となる。また、ユーザは、シート幅を表す「２９ｍｍ」の文字列から、無定長ロールシート１２Ａの幅寸法を一見して知ることが可能となると共に、各レイアウト９１、１０１の搬送方向も一見しただけで知ることができる。
【０１１１】
また、縦書き設定ボタン９８がマウス７でクリックされた場合には、ＣＰＵ４１は、レイアウト表示画面９０に表示されているレイアウト１０５及びダイカットラベルのシート幅方向の幅と搬送方向の長さを表す「３８ｍｍ×９０ｍｍ」の文字列を一体的に右方向に９０度回転させる。これにより、ユーザは、ダイカットラベルのシート幅方向の幅と搬送方向の長さを表す「３８ｍｍ×９０ｍｍ」の文字列の位置により、テキスト等のラベルデータが縦書きか横書きかを容易に知ることが可能となる。また、ユーザは、ダイカットラベルのシート幅方向の幅と搬送方向の長さを表す「３８ｍｍ×９０ｍｍ」の文字列から、ダイカットラベルの寸法を一見して知ることが可能となると共に、レイアウト１０５の搬送方向も一見しただけで知ることができる。
【０１１２】
尚、本発明は前記実施例に限定されることはなく、本発明の要旨を逸脱しない範囲内で種々の改良、変形が可能であることは勿論である。
【図面の簡単な説明】
【０１１３】
【図１】本実施例に係るラベル印刷システムの概略構成である。
【図２】図１に示すテープ印刷装置の上カバーを開けてロールシートホルダが装着された状態を示す右側上方からの斜視図である。
【図３】ロールシートホルダをテープ印刷装置に装着した状態を示す側断面図である。
【図４】テープ印刷装置の上カバーが開かれた状態を示す左前側上方からの斜視図である。
【図５】テープ印刷装置の上カバーが開かれた状態を示す左後側上方からの斜視図である。
【図６】ロールシートが装着されたロールシートホルダの一例を示す下方からの斜視図である。
【図７】図１に示すコンピュータ装置の要部の回路構成を示す回路ブロック図である。
【図８】図１に示すテープ印刷装置の要部の回路構成を示す回路ブロック図である。
【図９】テープ印刷装置のＲＯＭに記憶されるシート種類テーブルの一例を示す図である。
【図１０】テープ印刷装置のＲＯＭに記憶されるダイカット種類テーブルの一例を示す図である。
【図１１】図１に示すコンピュータ装置のＣＰＵによるレイアウト編集画面を表示装置の表示画面に表示する表示制御処理を示すフローチャートである。
【図１２】無定長ロールシートの自由長印刷モードに設定された場合の起動時におけるレイアウト編集画面の一例を示す図である。
【図１３】図１２の印刷領域にテキストを１文字入力した場合のレイアウト編集画面の一例を示す図である。
【図１４】図１３の印刷領域にテキストを更に２文字入力した場合のレイアウト編集画面の一例を示す図である。
【図１５】無定長ロールシートの固定長印刷モードに設定された場合のレイアウト編集画面の一例を示す図である。
【図１６】図１２の自由長・固定長切替ボタンをマウスでクリックした場合のレイアウトの表示切り替えの一例を示す図である。
【図１７】図１５の印刷領域にテキストを２文字入力した場合のレイアウト編集画面の一例を示す図である。
【図１８】ダイカットの場合の起動時におけるレイアウト編集画面の一例を示す図である。
【図１９】図１８の印刷領域にテキストを３文字入力した場合のレイアウト編集画面の一例を示す図である。
【符号の説明】
【０１１４】
１        ラベル印刷システム
２        コンピュータ装置
３        テープ印刷装置
４        ホストコントローラ
５        表示装置
６        キーボード
７        マウス
１２      ロールシートホルダ
１２Ａ    ロールシート（無定長ロールシート）
４１      ＣＰＵ
４２      ＲＯＭ
４３      ＲＡＭ
４５      通信用インターフェース
４９      ＨＤＤ
８９      レイアウト編集画面
９０      レイアウト表示画面
９１、１０１、１０５              レイアウト
９１Ａ、１０１Ａ、１０５Ａ        印刷領域
９２、１０２                      シルエット
９３      自由長・固定長切替ボタン
９８      縦書き設定ボタン
【図１】
0004518130.tif 000002
【図２】
0004518130.tif 000003
【図３】
0004518130.tif 000004
【図４】
0004518130.tif 000005
【図５】
0004518130.tif 000006
【図６】
0004518130.tif 000007
【図７】
0004518130.tif 000008
【図８】
0004518130.tif 000009
【図９】
0004518130.tif 000010
【図１０】
0004518130.tif 000011
【図１１】
0004518130.tif 000012
【図１２】
0004518130.tif 000013
【図１３】
0004518130.tif 000014
【図１４】
0004518130.tif 000015
【図１５】
0004518130.tif 000016
【図１６】
0004518130.tif 000017
【図１７】
0004518130.tif 000018
【図１８】
0004518130.tif 000019
【図１９】
0004518130.tif 000020